(57)【特許請求の範囲】
【請求項１】
容器本体の口部に、吐出ノズルを取付けたポンプを取着する肩カバーを具えた吐出容器であって、
肩カバーの上壁には、吐出ノズルの上下動を案内する案内筒を立設し、案内筒の外周側に保護カバーを切断可能な連結部により連結されて立設しており、
ストッパーは、保護カバーと案内筒との間に挟持されるとともに保護カバーの開口にストッパーの係止突条が係合し、案内筒の外周側を上下動する吐出ノズルの側周壁の下端に当接して吐出ノズルの下降を阻止可能であり、
保護カバーは、ストッパーの外周面を形成する円弧板表面の少なくとも一部を覆うようにしたことを特徴とする吐出容器。
【請求項２】
容器本体の口部に、吐出ノズルを取付けたポンプを取着する肩カバーを具えた吐出容器であって、
肩カバーの上壁には、吐出ノズルの上下動を案内する案内筒を立設し、案内筒の外周側に保護カバーを切断可能な連結部により連結されて立設しており、
ストッパーは、保護カバーと案内筒との間に挟持されるとともに保護カバーの開口にストッパーの係止突条が係合し、案内筒の外周側を上下動する吐出ノズルの側周壁の下端に当接して吐出ノズルの下降を阻止可能であり、
保護カバーは、ストッパーの外周面を形成する円弧板表面の少なくとも一部を覆うようにしたことを特徴とする噴霧式の吐出容器。
【請求項３】
ストッパーが、その中央部下方に係止突条が設けられており、
保護カバーの高さが、ストッパーの高さより高いことを特徴とする請求項１または２記載の吐出容器。
【請求項４】
ストッパーが、その中央部下方に係止突条が設けられており、
保護カバーの高さが、ストッパーの高さより低いことを特徴とする請求項１または２記載の吐出容器。
【請求項５】
容器本体の口部に吐出ノズルを取付けたポンプを取着する肩カバーと、吐出ノズルのノズルを覆うノズル被覆部と案内筒の外周側を上下動する吐出ノズルの側周壁の少なくとも半分を覆う円弧壁からなり、吐出ノズルに対して上下動可能としたノズルカバーとを備えた吐出容器であって、
肩カバーの上壁には、吐出ノズルの上下動を案内する案内筒を立設し、案内筒の外周側に保護カバーを切断可能な連結部により連結されて立設しており、
ノズルカバーの円弧壁は、下端において、保護カバーの開口に嵌挿される係止突条が横方向に延びて設けられ、中央部下方において、円弧壁を切込んで形成され内側上方に傾斜する係止片が、吐出ノズルの側周壁の下端に当接して吐出ノズルの下降を阻止可能に設けられ、
ノズルカバーのノズル被覆部は、上壁と下壁、端壁およびノズルが上下動可能な所定高さを有する側壁を具備しており、
保護カバーは、ノズルカバーの円弧壁下部の表面を覆うようにしたことを特徴とする吐出容器。
【発明の詳細な説明】
【０００１】
【発明の属する技術分野】
本発明は、吐出容器、とくに吐出ノズルの不用意な押下げ操作を防止するようにした吐出容器に関する。
【０００２】
【従来の技術】
吐出ノズルを取着したポンプ付吐出容器の使用中に、吐出ノズルの不用意な押下げ操作により内容物が吐出されることを防止するため、吐出ノズルの取付筒と吐出ノズルの案内部材との間をねじ結合によって吐出ノズルを下降位置に維持したり、また、取付構造を簡単にして、吐出ノズルとポンプを取着したキャップとの間にストッパーを挿入したりすることは、従来より知られている。
【０００３】
【発明が解決しようとする課題】
しかしながら、最近では、過剰包装を避けるため、吐出ノズル、キャップを覆う包装をしないで店頭に陳列することが多くなり、従来の吐出容器においては、故意または過失によってねじ結合を解いたり、ストッパーを外したりして、吐出ノズルを押下げ、内容液を吐出するという不正行為が行われるおそれが生じてきた。
とくに、ストッパーの場合には、ストッパーを取外し、持ち去るという犯罪行為さえ行われるおそれがあった。
【０００４】
また、噴霧ヘッドを具えた吐出容器においては、噴霧ヘッドを覆うオーバーキャップを被せて、その上からフィルムで包装していたので、過剰包装が避けられないという問題があった。
【０００５】
本発明は、上記の事情を考え、過剰包装をさけ、店頭での商品陳列中に不正行為が行われないよう保護するとともに、不正行為が行われた場合に、その有無を簡単に識別できるようにすることを課題とし、吐出容器の店頭での陳列時、或いは容器の使用中に、不用意に吐出ノズルや噴霧ヘッドの押下げ操作ができないようストッパーを用いた吐出容器を提供することを目的とする。
【０００６】
【課題を解決するための手段】
本発明は、上記の課題を解決するため、吐出容器として、容器本体の口部に、吐出ノズルを取付けたポンプを取着する肩カバーを具えた吐出容器であって、肩カバーの上壁には、吐出ノズルの上下動を案内する案内筒を立設し、案内筒の外周側に保護カバーを切断可能な連結部により連結されて立設しており、ストッパーは、保護カバーと案内筒との間に挟持されるとともに保護カバーの開口にストッパーの係止突条が係合し、案内筒の外周側を上下動する吐出ノズルの側周壁の下端に当接して吐出ノズルの下降を阻止可能であり、保護カバーは、ストッパーの外周面を形成する円弧板表面の少なくとも一部を覆うようにしたことを特徴とする構成を採用する。
【０００７】
吐出容器を噴霧式とした実施形態として、容器本体の口部に、吐出ノズルを取付けたポンプを取着する肩カバーを具えた吐出容器であって、肩カバーの上壁には、吐出ノズルの上下動を案内する案内筒を立設し、案内筒の外周側に保護カバーを切断可能な連結部により連結されて立設しており、ストッパーは、保護カバーと案内筒との間に挟持されるとともに保護カバーの開口にストッパーの係止突条が係合し、案内筒の外周側を上下動する吐出ノズルの側周壁の下端に当接して吐出ノズルの下降を阻止可能であり、保護カバーは、ストッパーの外周面を形成する円弧板表面の少なくとも一部を覆うようにしたことを特徴とする構成を採用する。
【０００８】
ストッパーと保護カバーとの関連構造に係る実施態様として、ストッパーが、その中央部下方に係止突条が設けられており、保護カバーの高さが、ストッパーの高さより高いことを特徴とする構成、または、ストッパーが、その中央部下方に係止突条が設けられており、保護カバーの高さが、ストッパーの高さより高いことを特徴とする構成を採用する。
【０００９】
吐出容器の別実施形態として、容器本体の口部に吐出ノズルを取付けたポンプを取着する肩カバーと、吐出ノズルのノズルを覆うノズル被覆部と案内筒の外周側を上下動する吐出ノズルの側周壁の少なくとも半分を覆う円弧壁からなり、吐出ノズルに対して上下動可能としたノズルカバーとを備えた吐出容器であって、肩カバーの上壁には、吐出ノズルの上下動を案内する案内筒を立設し、案内筒の外周側に保護カバーを切断可能な連結部により連結されて立設しており、ノズルカバーの円弧壁は、下端において、保護カバーの開口に嵌挿される係止突条が横方向に延びて設けられ、中央部下方において、円弧壁を切込んで形成され内側上方に傾斜する係止片が、吐出ノズルの側周壁の下端に当接して吐出ノズルの下降を阻止可能に設けられ、ノズルカバーのノズル被覆部は、上壁と下壁、端壁およびノズルが上下動可能な所定高さを有する側壁を具備しており、保護カバーは、ノズルカバーの円弧壁下部の表面を覆うようにしたことを特徴とする構成を採用する。
【００１０】
【発明の実施の形態】
次に、本発明吐出容器の第１実施形態について、図面を参照して説明する。
図１，２において、Ａは内容物を収納した容器本体、Ｂはポンプ取着用の肩カバー、Ｃはポンプ、Ｄはポンプのステムに取着された吐出ノズルである。
【００１１】
容器本体Ａは、口部１と肩部２、底部が開放された円筒状の胴部３と、胴部３底端に嵌合された底板４とを具えている。
口部１の外周面には、膨出環５が設けられており、肩部２には、等角度間隔をおいて複数の位置決めリブ６が立設されている。
【００１２】
胴部３の下端には、底板４を嵌着する膨出環を設けた嵌合筒７が形成されている。
底板４は、その所定個所に開口が設けられ、底板の中央部に支持筒８が立設されている。
底板４の周縁には、嵌合筒７に嵌着される膨出環を設けた係合筒９と、その内側に位置し、嵌合筒７の内周に嵌合する係合筒１０とが立設されている。
胴部３の内周には、周辺に胴部内周に摺接する弾性周壁１１を具え、上下摺動可能として摺動板１２が嵌挿されている。
【００１３】
図２，３に示すように、肩カバーＢは、円錐状の外周壁１５と上壁１６とを具えており、上壁１６の中央には開口が穿設され、開口の周縁からピストン部材が摺動する嵌合筒１７が垂設されている。
嵌合筒１７の外側には、容器本体Ａの口部１外周に嵌着される嵌着筒１８が垂設されており、該嵌着筒１８の下端に膨出環５の下側に係合する膨出環１９が設けられている。
上壁１６の上面には、吐出ノズルＤの上下動を案内する案内筒２０が立設されており、案内筒２０の外側には、吐出ノズルＤを上昇位置に維持するストッパー２１が係止されている。
【００１４】
ストッパー２１は、環状板２２と、環状板２２の外周縁から垂下された円弧板２３とからなっている。
環状板２２の寸法は、内径を案内筒２０外径に等しく、外径を上壁１６の外径より一定距離小さくしており、角度範囲は、少なくとも１８０゜以上で案内筒２０を挟持するようになっており、１９５゜前後が好ましい。
円弧板２３の中央部には、横方向に延びる一定長さを有する係止突条２４が設けられており、円弧板２３の両端面２５ａ，ｂは垂直な平面としている。
【００１５】
上壁１６上面には、周縁に沿って切断可能な複数の連結部２６によって接続された保護カバー２７が立設されており、中央部には門形の開口２８が穿孔されている。
保護カバー２７の内周面の径は、円弧板２３の外周面の径とほぼ等しく、開口２８の巾は、係止突条２４の長さにほぼ等しくしており、ストッパー２１は、嵌合筒１７と保護カバー２７との間に、角度位置を合わせて挟持されるようになっている。
【００１６】
次に、ポンプＣと吐出ノズルＤについて説明する。
ポンプＣ、吐出ノズルＤは、いずれも公知のものであるから簡単に述べる。
図２に示すように、ポンプＣは、シリンダー部材Ｃ１とピストン部材Ｃ２とからなっており、シリンダー部材Ｃ１は、上端に取付フランジ３０を設けたシリンダー３１と該シリンダー３１の底壁に装着した吸込み弁３２とを具えている。
【００１７】
ピストン部材Ｃ２は、下端部にピストンガイド３３を設けた有底のステム３４と、該ステム３４とシリンダー３１との間に上下摺動自在に装着されたピストン弁３５とを具えている。
【００１８】
ピストンガイド３３は、ステム３４下端に形成された拡径部３６と、周辺にピストン弁３５を保持する環状突条３７を立設したフランジ３８と、フランジ３８の周辺に配設された複数のガイド羽根３９とを具えており、ガイド羽根３９の外周は、シリンダー３１内周に摺接し、隣接するガイド羽根３９の間は、液流路となっている。
【００１９】
ピストン弁３５は、弁周壁４０と摺動周壁４１と、両者を結ぶ連結部とからなっており、弁周壁４０の下端は、ピストンガイド３３の拡径部３６と、フランジ３８上面、環状突条３７との間に嵌合し、ステム３４の上下動に応じてピストン弁３５とピストンガイド３３との間に液通路が開閉されるようになっている。
【００２０】
ステム３４のピストンガイド３３の上方には、連通孔４２が穿孔されており、ステム３４の押下時に、ピストン弁３５が開かれ、シリンダー室内の液がステム３４内に流入されるようになっている。
ステム３４の上端部分には、膨出環が設けられ、吐出ノズルＤが嵌着されるようにしている。
【００２１】
吐出ノズルＤは、頂壁４５と側周壁４６、ステム３４に嵌合する嵌着筒４７とを具えており、側周壁４６の上端部には、嵌着筒４７内に連通するノズル孔４８を穿孔したノズル４９が突設されている。
嵌着筒４７の外周は、肩カバーＢの嵌合筒１７に摺接案内され、嵌着筒４７の下端には、外周に沿ってピストン弁３５に係合する操作筒５０が延設されている。
肩カバーＢの上壁１６と吐出ノズルＤの頂壁４５との間には、ばね５１が弾装され、吐出ノズルＤを上方に付勢している。
【００２２】
次に、第１実施形態吐出容器の使用態様と作用効果について説明する。
吐出容器は、ストッパー２１を保護カバー２７にセットした肩カバーＢによって、ポンプＣを容器本体Ａの口部１にパッキン５２を介して取着し、次いで、吐出ノズルＤをポンプＢのステム３４に取着することによって組み立てられる。
【００２３】
吐出容器は、内容液を充填された後に、包装しないで出荷され、店頭に陳列される。
陳列中には、ストッパーの前面が保護カバーによって覆われているため、ストッパーに触れることができず、ストッパーを取外すことができないので、吐出ノズルを押さえても押下げることはできない。
【００２４】
保護カバー２７を、その連結部２６を切断して取り外した場合には、保護カバー２７が肩カバーＢ上壁１６からすべり落ち、ストッパー２１を覆うことができなくなるので、不正行為が行われたことが直ちに識別できる。
【００２５】
吐出容器の使用時には、図４に示すように、まず、保護カバー２７の一端をもって外方に引き廻すと、連結部２６が順次切断され、保護カバー２７を取り外すことができる。
吐出時には、ストッパー２１を取り外して吐出ノズルＤを押下げると、ノズル４９から内容液を吐出することができ、手を離すと吐出を止め、吐出ノズルＤは、ばね５１の付勢によって上昇位置に復帰する。
吐出を終え、吐出容器をしまうときには、ストッパー２１を、上昇した吐出ノズルＤの側周壁４６下端と肩カバーＢの上壁１６との間に嵌挿すると、吐出ノズルＤは妨動しない。
【００２６】
次に、本発明吐出容器の第２実施形態について説明する。
本実施形態は、前第１実施形態におけるストッパーと保護カバーの形状を変更したものである。
以下、相違点を中心に説明し、同一の構成のものには添字ａを付して説明を省略する。
【００２７】
図５，６において、ＡａはポンプＣａ（図示しない）を口部に取着した容器本体、Ｂａは肩カバー、Ｄａはポンプに取着された吐出ノズルであり、容器本体Ａａ、ポンプＣａ、吐出ノズルＤａは、第１実施形態のそれと同一であり、説明を省略する。
肩カバーＢａは、上壁６０と外周壁６１とを具えており、上壁６０には、その中央部に案内筒６２が立設されており、上壁６０周縁に沿って複数の切断可能な連結部６３によって接続された保護カバー６４が立設されている。
【００２８】
案内筒６２の外側には、吐出ノズルＤａを上昇位置に維持するストッパー６５が係止されている。
ストッパー６５は、環状板６６と該環状板６６の外周縁から垂設された円弧板６７とからなっており、円弧板６７の中央部には、横方向に延びる両端面を垂直な平面とした係止突条６８が設けられている。
第１実施形態と同じく、環状板６６の内径は、案内筒６２の外径にほぼ等しく、角度範囲は少なくとも１８０゜以上で、案内筒６２を挟持できるようにしている。
【００２９】
保護カバー６４は、ストッパー６５の高さより低く、ほぼ同一の角度範囲とした円弧状壁に形成されており、中央部にはストッパー６５の係止突条６８が嵌挿される高さと巾を有する開口６９が設けられている。
【００３０】
肩カバーＢａのその他の構成については、前記第１実施形態と同一であるので、説明を省略する。
【００３１】
本実施形態は、前記第１実施形態と同様の作用効果を得ることができるが、保護カバー６４の高さをストッパー６５の高さより低くしたことによって、ストッパーのセットをさらに容易にすることができ、吐出容器の組立時に、ストッパーが取着されているか否か、容易に識別することができ、未完成品の出荷をなくすことができるという格別の作用効果を得ることができる。
【００３２】
次に、本発明の第３実施形態について説明する。
本実施形態は、吐出ノズルにストッパーを取付けたノズルカバーを被せるようにしたものである。
以下、相違点を中心に説明し、同一の構成のものには添字ｂを付して説明を省略する。
【００３３】
図７，８において、ＡｂはポンプＣｂ（図示しない）を口部内部に取着した容器本体、Ｂｂは肩カバー、Ｄｂはポンプに取着された吐出ノズル、Ｅはノズルカバーである。
容器本体Ａｂ、ポンプＣｂ、吐出ノズルＤｂは、前記第１、第２実施形態と同様であるので、詳しい説明は省略する。
【００３４】
肩カバーＢｂの上壁８０には、中央部に吐出ノズルＤｂの上下動を案内する案内筒８１が立設されており、周縁に沿って切断可能な複数の連結部８２を介して接続された保護カバー８３が立設されている。
保護カバー８３は、１８０゜以上の角度範囲に延びる円弧状壁によって形成されており、両端部８３ａの高さは、上昇時の吐出ノズルＤａの側周壁までの高さにほぼ等しくしている。
円弧状壁の中央部は、両端部に対して段差を有しており、その下端には、後述するノズルカバーを係止するために開口８４が削設され、その上部は係止部８５となっている。
【００３５】
肩カバーＢｂのその他の構成は、前記各実施形態と同一であり、説明を省略する。
【００３６】
吐出ノズルＤｂは、前記第１実施形態のものと同様に、頂壁４５ａと側周壁４６ａ、ステムに嵌合する嵌着筒とを具えており、側周壁４６ａの上端部には、嵌着筒内に連通するノズル孔を穿孔したノズル４９ａが突設されている。
【００３７】
図７〜９に示すように、ノズルカバーＥは、半円の円弧壁９０と頂壁９１、該円弧壁９０から突出するノズル被覆部９２とからなっており、円弧壁９０の下端から頂壁９１までの高さは、吐出ノズルＤｂを上昇位置に維持させたときに頂壁４５ａが吐出ノズルＤｂの上壁８０に当接するだけの高さを有している。
【００３８】
ノズル被覆部９２は、頂壁９１から延びる上壁９３と、円弧壁９０に連続する両側壁９４と下壁９６、ノズル４９ａの先端に当接する傾斜壁９７と垂直な端壁９８とからなっている。
上壁９３はノズル４９ａの上面の形状とほぼ一致しており、両側壁９４は、ノズル４９ａの両側に当接するよう湾曲した垂直面で、上端縁は上壁９３に連続し、下端縁９５は水平線になっており、吐出ノズルＤｂの上下動に相応する高さを有している。
下壁９６は、両側壁９４の下端縁９５に接続する湾曲面となっている。
【００３９】
円弧壁９０のノズル被覆部９２の下端には、横方向に延びる係止突条９９が設けられ、保護カバー８３の開口８４内に嵌挿され、係止部８５に係合されるようになっている。
係止突条９９の上方には、切込み１００が入れられて内方に傾斜する係止片１０１が形成され、吐出ノズルＤｂの上昇時に、その側周壁４６ａ下端に係合するストッパーとして作用するようにされている。
【００４０】
次に、本実施形態の作用効果について説明する。
吐出容器の組立にあたって、吐出ノズルＤｂを取着した吐出容器に、ノズルカバーＥを上方から嵌挿していくと、図１０に示すように、係止片１０１が変形して、吐出ノズルＤｂの側周壁４６ａに摺接しながら下降し、係止突条９９が保護カバー８３に当接するときに、円弧壁９０の下端を内方になるようノズルカバーＥを傾けると、係止突条９９が保護カバー８３に圧接することなしに、円弧壁９０下端を肩カバーＢｂの上壁８０に当接させることができる。
【００４１】
その際、図８に示すように、係止片１０１が復元して、吐出ノズルＤｂの側周壁４６ａ下端と肩カバーＢｂの案内筒８１に当接し、その反力で、円弧壁９０下端を外方に押しやるとともに、係止突条９９を開口８４に嵌挿させ、係止部８５に係止させることになる。
【００４２】
吐出容器の店頭陳列時に、故意、または過失により、吐出ノズルＤｂを押下げようとしても係止片１０１が吐出ノズルＤｂの下降を妨げており、また、保護カバー８３によってノズルカバーＥの開放を防いでいる。
故意に保護カバー８３を取外すと、外から簡単に識別でき、不正行為の有無を直ちに確認することができる。
【００４３】
吐出容器の使用開始にあたっては、まず保護カバー８３の一端を摘んで外方に引き廻していくと、連結部８２が切断されて、保護カバー８３を取外すことができる。
次いで、ノズルカバーＥを横方向に引き出していくと、係止片１０１が吐出ノズルＤｂの側周壁４６ａ下端から離れ、吐出ノズルＤｂを露出させることができる。
【００４４】
所要の吐出が終わって吐出容器をしまうときには、ノズルカバーＥを横方向から押し込んでいくと、係止片１０１が吐出ノズルＤｂの側周壁４６ａ下端に係合し、吐出ノズルＤｂの押下げを阻止するとともに、ノズル孔を閉じることができ、不使用が長期にわたっても空気中の塵埃がノズル孔から侵入することを防ぐことができる。
【００４５】
前記各実施形態では、ポンプの作動により内容液を吸上げ、摺動板の上昇により容器本体内の容積を減容させるようにした吐出容器を採用しているが、ポンプの作動により、吸上げパイプを介して内容液を吸上げるようにした吐出容器、あるいは、容器本体がデラミ容器であってもよく、実施形態の容器に限定されない。
【００４６】
次に、本発明吐出容器の第４実施形態について説明する。
本実施形態は、前記第１、或いは第２実施形態におけるストッパーと保護カバーの構成を、噴霧器を取着した噴霧式吐出容器に適用したものである。
【００４７】
図１１において、Ａｃは容器本体、Ｂｃは肩カバー、Ｃｃはポンプ、Ｆはポンプのステムに取着された噴霧ヘッドである。
容器本体Ａｃは、前記各実施形態と異なり、周知の容器と同様に、口部と肩部、胴部と底部は、ブロー成形によって一体成形されている。
【００４８】
肩カバーＢｃは、前記各実施形態と同様に、上壁１１０と外周壁１１１とを具え、上壁１１０上面には、噴霧ヘッドＦの上下動を案内する案内筒１１２と、上壁１１０の周縁に沿って切断可能な複数の連結部１１３によって接続され、中央部下方に開口を設けた保護カバー１１４が立設されている。
案内筒１１２の外側には、噴霧ヘッドＦを上昇位置に維持するストッパー１１５が係止されている。
【００４９】
ストッパー１１５は、前記第１実施形態と同様に、環状板１１６と係止突条を設けた円弧板１１７とからなっており、案内筒１１２、および保護カバー１１４との関連構造については、図３，４に示される第１実施形態の構成、或いは図６に示される第２実施形態の構成のいずれでも採用することができる。
【００５０】
ポンプＣｃは、シリンダー１２０とピストンを具えた公知のものであって、ピストンのステム１２１に取着された噴霧ヘッドＦの上下動操作によって、吸上げパイプ１２２から内容液を吸上げ、ステム１２１を通じて噴霧ヘッドＦの噴出孔１２３から噴霧するようにしている。
【００５１】
本実施形態の吐出容器は、吐出ノズルに変えて、内容液を噴霧ヘッドから噴霧するようにした点で、前記実施形態の吐出容器と異なるが、保護カバーとストッパーによって前記第１実施形態或いは第２実施形態のものと同様の作用効果を得ることができる。
【００５２】
【発明の効果】
本発明は、上記のように構成されているから、次の効果を奏する。
吐出容器の肩カバーに吐出ノズル或いは噴霧ヘッドの押下げを阻止するストッパーを取着し、その周囲を保護カバーで覆うようにしたから、店頭陳列時にポンプの作動を防ぐとともに、故意、過失による不正行為を防ぐことができるようになった。
そのことによって、過剰包装を省き、資源の節減、製造コストの低減に貢献することができた。
【００５３】
また、ストッパーをノズルカバーに設けたものでは、吐出容器の不使用時にノズル孔からの塵埃の侵入を防ぐことができる。
【図面の簡単な説明】
【図１】本発明第１実施形態吐出容器の斜視図である。
【図２】本発明第１実施形態吐出容器の断面正面図である。
【図３】肩カバーの説明図で、（ａ）は斜視図、（ｂ）は上面図、（ｃ）は一部断面正面図である。
【図４】保護カバーの取扱い説明図で、（ａ）は取外し前、（ｂ）は取外し後の斜視図である。
【図５】第２実施形態吐出容器の正面図である。
【図６】肩カバーの説明図で、（ａ）は肩カバーの斜視図、（ｂ）はストッパーの斜視図である。
【図７】第３実施形態吐出容器の正面図である。
【図８】ノズルカバーと保護カバーを断面とした吐出容器の正面図である。
【図９】吐出容器の側面図である。
【図１０】ノズルカバーと保護カバーを断面としたノズルカバー取付時の説明図である。
【図１１】第４実施形態吐出容器の一部断面正面図である。
【符号の説明】
Ａ、Ａａ、Ａｂ    容器本体
Ｂ、Ｂａ、Ｂｂ    肩カバー
Ｃ、Ｃａ、Ｃｂ    ポンプ
Ｃ１              シリンダー部材
Ｃ２              ピストン部材
Ｄ、Ｄａ、Ｄｂ    吐出ノズル
Ｅ                ノズルカバー
１                口部
２                肩部
３                胴部
４                底板
１２              摺動板
１５、６１、１１１        外周壁
１６、６０、８０、１１０  上壁
２０、６２、８１、１１２  案内筒
２１、６５、１１５        ストッパー
２２、６６、１１６        環状板
２３、６７、１１７        円弧板
２４、６８                係止突条
２６、６３、８２、１１３  連結部
２７、６４、８３、１１４  保護カバー
２８、６９、８４          開口
３１、１２０      シリンダー
３２              吸込み弁
３３              ピストンガイド
３４、１２１      ステム
３５              ピストン弁
４５、４５ａ      頂壁
４６、４６ａ      側周壁
４７              嵌着筒
４９、４９ａ      ノズル
８５              係止部
９０              円弧壁
９１              頂壁
９２              ノズル被覆部
９３              上壁
９４              両側壁
９５              下端縁
９６              下壁
９７              傾斜壁
９８              端壁
９９              係止突条
１００            切込み
１０１            係止片
１２２            吸上げパイプ
１２３            噴出孔
【図１】
0004588264.tif 000002
【図２】
0004588264.tif 000003
【図３】
0004588264.tif 000004
【図４】
0004588264.tif 000005
【図５】
0004588264.tif 000006
【図６】
0004588264.tif 000007
【図７】
0004588264.tif 000008
【図８】
0004588264.tif 000009
【図９】
0004588264.tif 000010
【図１０】
0004588264.tif 000011
【図１１】
0004588264.tif 000012